【手続補正書】
【提出日】平成29年11月21日(2017.11.21)
【手続補正１】
【補正対象書類名】特許請求の範囲
【補正対象項目名】全文
【補正方法】変更
【補正の内容】
【特許請求の範囲】
【請求項１】
薬剤を受け入れるためでありかつそこから一定用量の薬剤を小分け供給するための小分け供給開口部と、プランジャを受け入れるためのプランジャ開口部とを有する、投薬室と、
薬剤容器から前記小分け供給開口部を通して前記投薬室へ薬剤を引き出すようにプランジャを前記投薬室から部分的に引き戻すことができ、かつ、前記小分け供給開口部を通して前記投薬室から前記薬剤を小分け供給するように前記投薬室内への前記プランジャの部分的な又は完全な挿入ができるように、前記プランジャ開口部を通して配置可能でありかつ前記投薬室内で移動可能なプランジャと、
前記薬剤が引き出される前記薬剤容器を受け入れる検証室であって、前記検証室が、前記投薬室又は前記プランジャと一体的であるか前記投薬室又は前記プランジャへの固定アタッチメントである、検証室と、
前記薬剤容器が前記検証室から取り外されるのを防ぐように動作可能な不正干渉防止ロック機構とを備え、
前記投薬室内へ開放したアンプルから引き出された前記薬剤が、前記検証室内でロックされた前記薬剤容器の識別体の目視検査によって確実に識別されかつ検証することができるように、前記検証室内でロックされた前記薬剤容器の目視検査が可能となるように前記検証室が構成されている、シリンジ。
【請求項２】
前記薬剤容器は、前記薬剤容器内で貯蔵されている前記薬剤にアクセスできるように破断される脆弱なシールを有するタイプであり、前記検証室は、前記検証室内でロックされた前記薬剤容器の破断されたシールから前記シリンジの使用者を保護するように、シャープコンテナとして機能する、請求項１に記載のシリンジ。
【請求項３】
前記薬剤容器はアンプルである、請求項２に記載のシリンジ。
【請求項４】
薬剤識別アセンブリにおいて、
前記薬剤識別アセンブリは、
薬剤がシリンジの投薬室へそこから以前に引き出された、薬剤容器を受け入れる、検証室と、
前記薬剤容器が前記検証室から取り外されるのを防ぐように動作可能な不正干渉防止ロック機構と、
前記検証室と一体的に形成されており、かつ、前記薬剤識別アセンブリを従来のシリンジの投薬室又はプランジャへと係合するように構成された、係合手段とを備え、
前記投薬室内へ前記薬剤容器から引き出された前記薬剤が、前記検証室内でロックされた前記薬剤容器の識別体の目視検査によって確実に識別されかつ検証することができるように、前記検証室内でロックされた前記薬剤容器の目視検査が可能となるように前記検証室が構成されている、薬剤識別アセンブリ。
【請求項５】
前記薬剤容器は、前記薬剤容器内で貯蔵されている前記薬剤にアクセスできるように破断される脆弱なシールを有するタイプであり、前記検証室は、前記検証室内でロックされた前記薬剤容器の破断されたシールから前記シリンジの使用者を保護するように、シャープコンテナとして機能する、請求項４に記載のアセンブリ。
【請求項６】
前記薬剤容器はアンプルである、請求項５に記載のアセンブリ。
【請求項７】
前記係合手段は、前記アセンブリが前記シリンジの前記投薬室又は前記プランジャから取り外されるのを防ぐように構成されている、請求項４〜６のいずれか一項に記載のアセンブリ。
【請求項８】
前記係合手段は、前記アセンブリが前記シリンジの前記投薬室又は前記プランジャから取り外されるのを防ぐために、鋸歯突出クリップ又は受入れソケットの中への鋸歯突出部を有する、請求項７に記載のアセンブリ。
【請求項９】
前記係合手段は、前記シリンジの前記投薬室の対応の湾曲した外面のそれぞれの部分と係合するように構成された、それぞれの湾曲した内面を有する一対の弾性アームを有する、請求項４〜７のいずれか一項に記載のアセンブリ。
【請求項１０】
前記係合手段は、前記シリンジの前記プランジャの一部分を受け入れかつ係合するように構成された、その間に受け入れるスロットを形成する、一対の弾性部材を有する、請求項４〜７のいずれか一項に記載のアセンブリ。
【請求項１１】
前記検証室は、前記検証室内でロックされた前記薬剤容器の目視検査を可能とする透明窓を有する、請求項１〜１０のいずれか一項に記載のシリンジ又はアセンブリ。
【請求項１２】
前記検証室は、前記投薬室内において前記薬剤の識別体を含み、かつ前記投薬室内において溶質の識別体を含む、請求項１〜１１のいずれか一項に記載のシリンジ又はアセンブリ。
【請求項１３】
前記不正干渉防止ロック機構は、捕捉機構又は一方向ラチェット手段を有する、請求項１〜１２のいずれか一項に記載のシリンジ又はアセンブリ。
【請求項１４】
シリンジの投薬室の中の薬剤又は投薬室から小分け供給された薬剤を識別する方法であって、
前記投薬室から前記シリンジのプランジャを部分的に引き戻すことによって薬剤を薬剤容器からシリンジの投薬室内へ引き出すステップと、
前記薬剤容器を前記シリンジの検証室内へ挿入するステップであって、前記検証室が、前記投薬室又は前記シリンジの前記プランジャと一体的であるか前記投薬室又は前記シリンジの前記プランジャへの固定アタッチメントである、ステップと、
前記薬剤容器が前記検証室から取り外されるのを防ぐよう不正干渉防止ロック機構を動作させるステップとを備え、
前記投薬室内へ前記薬剤容器から引き出された前記薬剤が、前記検証室内でロックされた前記薬剤容器の識別体の目視検査によって確実に識別されかつ検証することができるように、前記検証室内でロックされた前記薬剤容器の目視検査が可能となるように前記検証室が構成されている、方法。
【請求項１５】
前記薬剤容器は、前記薬剤容器内で貯蔵されている前記薬剤にアクセスできるように破断される脆弱なシールを有するタイプであり、前記検証室は、前記検証室内でロックされた前記薬剤容器の破断されたシールから前記シリンジの使用者を保護するように、シャープコンテナとして機能する、請求項１４に記載の方法。
【請求項１６】
前記薬剤容器はアンプルである、請求項１５に記載の方法。
【請求項１７】
薬剤を受け入れるためでありかつそこから一定用量の薬剤を小分け供給するための小分け供給開口部と、プランジャを受け入れるためのプランジャ開口部とを有する、投薬室と、
薬剤容器から前記小分け供給開口部を通して前記投薬室へ薬剤を引き出すようにプランジャを前記投薬室から部分的に引き戻すことができ、かつ、前記小分け供給開口部を通して前記投薬室から前記薬剤を小分け供給するように前記投薬室内への前記プランジャの部分的な又は完全な挿入ができるように、前記プランジャ開口部を通して配置可能でありかつ前記投薬室内で移動可能なプランジャと、
前記薬剤が引き出される前記薬剤容器を受け入れる開口部を有する検証室であって、前記検証室が、前記投薬室又は前記プランジャと一体的であるか前記投薬室又は前記プランジャへの固定アタッチメントである、検証室と、
前記検証室の前記開口部を遮断しかつ前記薬剤容器が前記検証室から取り外されるのを防ぐように動作可能な不正干渉防止閉鎖体とを備え、
前記投薬室内へ開放したアンプルから引き出された前記薬剤が、前記検証室内でロックされた前記薬剤容器の識別体の目視検査によって確実に識別されかつ検証することができるように、前記検証室内でロックされた前記薬剤容器の目視検査が可能となるように前記検証室が構成されている、シリンジ。